(57)【要約】【課題】  従来のエレベータの乗場ドアーは、エレベータ利用者の待ち時間増加によるイライラ感を弱めることができない問題があった。これは、エレベータの乗場ドアーに設けられた情報表示装置の情報が簡単な定型語であるために、エレベータ利用者が観ないためである。【解決手段】  エレベータの乗場ドアーにおいて、その乗場ドアーに開口部を設け、この開口部に画像表示装置を埋設して乗場ドアーを構成した。これにより、テレビ放送画像、ＶＴＲ再生画像、ＤＶＤ再生画像、ビデオカメラ撮像両像、パーソナルコンピュータデータの何れかの画像またはデータを表示し、エレベータ利用者が画像またはデータを観ることで、待ち時間を削る換わりにイライラ感を弱めることができるとともに、エレベータ利用者に情報提供をすることができる。【選択図】図１
2005047708.tif 000002
【特許請求の範囲】
【請求項１】
乗場ドアーに開口部を設け、この開口部に、画像表示装置を埋設したことを特徴とするエレベータの乗場ドアー。
【発明の詳細な説明】
【技術分野】
【０００１】  本発明は、エレベータの乗場ドアーに関するものである。
【背景技術】
【０００２】  従来のエレベータの乗場ドアーには、乗場ドアーの前面板上部に設けた凸部の下方傾斜部に情報表示装置を配設してエレベータの運行情報を提供しているものがある。（例えば、特許文献１参照。）。【０００３】  以下、図２により従来の乗場ドアー２について説明する。図において、情報表示装置１は、ＬＥＤランプ式ドットマトリックス方式で、情報をドット表示する。【０００４】  ドット表示される情報は、「しばらくおまちください」７、「おはようございます」８等の簡単な定型語である。
【特許文献１】    特許番号  第２５２１５７６号  公報
【発明の開示】
【発明が解決しようとする課題】
【０００５】  以上に述べた従来の乗場ドアーでは、エレベータ利用者の待ち時間によるイライラ感を弱めるために情報表示装置１を設置してあるが、エレベータ乗場フロアーでエレベータ利用者が「かご」の到着を待つ間、イライラを感じ、待ち時間が１分になるとかなりのイライラになり、人間の不快感は、待ち時間の二乗に比例して増加すると言われているから、わずかな待ち時間の増加でも、エレベータ利用者の心理にかなりの影響を与える。【０００６】  しかし、「かご」の到着時間を削ることは非常に困難であるから、エレベータ利用者の待ち時間を削る換わりに情報表示装置１を設置してイライラ感を弱める様にしてあるが、情報表示装置１に表示される情報が簡単な定型語であるために、情報表示装置１を観ない、または、一瞬しか観ないために、エレベータ利用者の待ち時間によるイライラ感を弱めることが出来なかった。【０００７】  本発明は、このような従来の構成が有していた問題を解決しようとするものであり、乗場ドアーに画像表示装置を設置して、この装置の画像表示面に、テレビ放送画像、ＶＴＲ再生画像、ＤＶＤ再生画像、ビデオカメラ撮像画像、パーソナルコンピュータデータの何れかの画像またはデータを選択表示し、画像またはデータを提供することで、エレベータ待ちをしているエレベータ利用者の興味を画像またはデータに引き付け、エレベータ利用者の待ち時間を削る換わりにイライラ感を弱めることを目的とするものである。
【課題を解決するための手段】
【０００８】  そして、本発明は上記目的を達成するために、乗場ドアーに開口部を設け、この開口部に、画像表示装置を埋設したことを特徴とするエレベータの乗場ドアーである。【０００９】  上記課題解決手段による作用は次の通りである。すなわち、乗場ドアーの前面板に開口部を設け、この開口部に、画像表示装置を埋設し、テレビ放送画像、ＶＴＲ再生画像、ＤＶＤ再生画像、ビデオカメラ撮像画像、パーソナルコンピュータデータの何れかの画像またはデータが選択表示され、画像またはデータを提供するので、エレベータ乗場フロアーでエレベータ利用者が「かご」の到着を待つ間、イライラを感じるが、画像を観ることで「かご」を待つ意識を画像またはデータに逸らすため、エレベータ利用者の待ち時間を削る換わりに、イライラ感を弱めることができる。
【発明の効果】
【００１０】  上述したように本発明のエレベータの乗場ドアーは、エレベータ待ちをしているエレベータ利用者の待ち時間を削る換わりにイライラ感を弱めることができ、画像またはデータが表示されるために、情報提供もできる。
【発明を実施するための最良の形態】
【００１１】  以下、本発明の実施の形態を、図１、図３及び図４に基づいて説明する。【００１２】  図において、乗場ドアー２の前面板３に開口部４を設け、この開口部４に画像表示装置５を埋設して、画像表示面６にテレビ放送画像９、ＶＴＲ再生画像１０、ＤＶＤ再生画像１１、ビデオカメラ撮像画像１２、パーソナルコンピュータデータ１３の何れかの画像またはデータを選択表示し、画像またはデータを提供する。【００１３】  画像表示装置５は乗場ドアー２に複数個埋設されることで、テレビ放送画像９、ＶＴＲ再生画像１０、ＤＶＤ再生画像１１、ビデオカメラ撮像画像１２、パーソナルコンピュータデータ１３の何れかの画像またはデータが、其々の画像表示面６に異なった画像またはデータが提供される。【００１４】  以下、上記構成の動作を説明する。遠隔地にあるエレベータ管理室１４で、防犯カメラ１５等を通して、各フロアーのエレベータ乗場フロアー１６の状況を把握し、あるフロアーで、エレベータ待ちをしているエレベータ利用者の人数が増加した場合には、該当するフロアーの乗場ドアー２に設けられた画像表示装置５に画像またはデータを提供すべく、エレベータ管理室１４から制御室１８の制御器１９を操作して、画像またはデータの送信を行う。【００１５】  エレベータ乗場フロアー１６でエレベータ待ちをしているエレベータ利用者は、待ち時間が増加してくると、イライラを感じ始め、乗場ドアー２が開く瞬間を待って乗場ドアー２に意識を集中させると、意識を集中させた先の画像表示面６に送信されてきた画像またはデータを観ることで「かご」を待つ意識を画像またはデータに逸らすことができる。【００１６】  また、会議室１７が集中しているフロアーで、会議終了で多くの人がいっせいにエレベータを利用する場合、他のフロアーでエレベータ待ちをしているエレベータ利用者には事情が分らないために、通常とは異なる待ち時間の増加により、疑心が加わり実際の待ち時間以上にイライラ感がつのる。【００１７】  遠隔地にあるエレベータ管理室１４で、防犯カメラ１５等を通して、会議終了で多くの人がいっせいにエレベータを利用し始めたら、他のフロアーでエレベータ待ちをしているエレベータ利用者には事情が分る様に、画像表示装置５に、会議室１７が集中しているフロアーの様子の画像を提供すべく、エレベータ管理室１４から制御室１８の制御器１９を操作して、画像またはデータの送信を行う。【００１８】  画像表示面６に送信されてきた画像またはデータを観ることで、他のフロアーでエレベータ待ちをしているエレベータ利用者は、通常とは異なる待ち時間の増加の事情が分り、「かご」を待つ意識に待ち時間の増加は仕方がないと思わせてイライラ感を減少させる効果が得られる。
【図面の簡単な説明】
【００１９】
【図１】  本発明の実施形態を示すエレベータ乗場出入口の斜視図。
【図２】  従来のエレベータ乗場出入口の斜視図。
【図３】  本発明の実施形態を示すエレベータ乗場出入口の図１におけるＡ−Ａ線断面図。
【図４】  本発明の実施形態に係る系統を説明する図。
【符号の説明】
【００２０】  １  情報表示装置
２  乗場ドアー
３  前面板
４  開口部
５  画像表示装置
６  画像表示面
７  「しばらくおまちください」
８  「おはようございます」
９  テレビ放送画像
１０  ＶＴＲ再生画像
１１  ＤＶＤ再生画像
１２  ビデオカメラ撮像画像
１３  パーソナルコンピュータデータ
１４  エレベータ管理室
１５  防犯カメラ
１６  エレベータ乗場フロアー
１７  会議室
１８  制御室
１９  制御器
【図１】
2005047708.tif 000003
【図２】
2005047708.tif 000004
【図３】
2005047708.tif 000005
【図４】
2005047708.tif 000006